(57)【要約】【課題】カバー部材を装着したハーネス接続部材を得る。【解決手段】カバー部材５を保持体１に装着するには、切込み５ｂを利用して割スリット５ａを開いて複数本の電線３を挿通する。その後に、カバー部材５を保持体１まで移動し、保持体１の一方の突環部１ｄを乗り越えて、突環部１ｄ内に嵌合すると共に、凹形部５ｃを突条部１ｅに嵌合することにより装着完了状態となり、カバー部材５は保持体１に対して長手方向にも回転方向にも移動しなくなる。【選択図】図６
2008166135.tif 000002
【特許請求の範囲】
【請求項１】
複数の電線を接続金具により内部において接続した合成樹脂製の略円柱状の保持体の外側からカバー部材を覆うハーネス接続部材であって、前記保持体の両端に突部を形成し、合成樹脂材から成り割スリットを有する円筒状の前記カバー部材を前記保持体の突部間に嵌合したことを特徴とするハーネス接続部材。
【請求項２】
前記保持体の表面の長手方向に沿って電線を沿わせる長溝を形成したことを特徴とする請求項１に記載のハーネス接続部材。
【請求項３】
前記突部は前記長溝部分を除き、周方向に間欠的に形成した円環状としたことを特徴とする請求項２に記載のハーネス接続部材。
【請求項４】
前記カバー部材の割スリットの両端に前記割スリットを開き易くするための切込みを設けたことを特徴とする請求項１に記載のハーネス接続部材。
【請求項５】
前記保持体の表面に長手方向に沿って突条部を設けると共に、前記カバー部材の割スリットの中央部に凹形部を設け、該凹形部を前記突条部に嵌合させたことを特徴とする請求項４に記載のハーネス接続部材。
【発明の詳細な説明】
【技術分野】
【０００１】
本発明は、例えば自動車のハーネス回路において使用するハーネス接続部材に関するものである。
【背景技術】
【０００２】
ハーネス回路においては、幹線から複数の枝線を分岐する必要が屡々あり、従来では、各種の方法で接続を行っている。本出願人も特願２００５−３１２７７４号において、合成樹脂から成る柱状体を用いた接続部材を提案している。この接続部材は柱状体の内部において接続金具を用いて複数の電線を結線しているものであるが、この状態のままでは、短絡事故等が発生する虞れがあり、また損傷を受け易く、電気絶縁性の確保が困難である。
【０００３】
これら損傷防止、電気絶縁確保のために、例えば特許文献１〜３に開示されているような熱収縮チューブを使用した保護方法、治具が知られているが、熱源を必要とするため設備が大掛かりとなり、作業性が良好ではない。
【０００４】
【特許文献１】特開平１１−１７８１４２号公報
【特許文献２】特開平１１−１７８１４３号公報
【特許文献３】特開平１１−１７８１４４号公報
【発明の開示】
【発明が解決しようとする課題】
【０００５】
この接続部材の短絡等を防止するために、絶縁テープを巻回したり、保護カバーを被着する必要があり、本出願人も接続部材用のカバーを幾つか提案している。しかし、テーピングは組立工数が増加し、保護カバーは機構が複雑となる。
【０００６】
本発明の目的は、上述の課題を解決し、簡易にカバー部材を装着可能なハーネス接続部材を提供することにある。
【課題を解決するための手段】
【０００７】
上述の目的を達成するための本発明に係るハーネス接続部材の技術的特徴は、複数の電線を接続金具により内部において接続した合成樹脂製の略円柱状の保持体の外側からカバー部材を覆うハーネス接続部材であって、前記保持体の両端に突部を形成し、合成樹脂材から成り割スリットを有する円筒状の前記カバー部材を前記保持体の突部間に嵌合したことにある。
【発明の効果】
【０００８】
本発明に係るハーネス接続部材は、カバー部材により保護されるので、電気絶縁性、信頼性に優れている。
【発明を実施するための最良の形態】
【０００９】
本発明を図示の実施例に基づいて詳細に説明する。
本実施例のハーネス接続体は、主として図１に示すピン挿入孔１ａ、長溝１ｂ、端子挿入孔１ｃを有する保持体１と、保持体１の端子挿入孔１ｃに挿入する接続部２ａ、電線３の芯線を接続した圧着部２ｂを有する複数個の受端子２と、受端子２同士を接続するためのピン端子４と、保持体１に周設するカバー部材５とから構成されている。
【００１０】
保持体１は合成樹脂材から成る略円柱体であり、保持体１の中心軸を貫通しピン端子４を挿入するためのピン挿入孔１ａが設けられ、保持体１の表面に長手方向に沿って例えば４個の断面略半円形の長溝１ｂが形成されている。更に、長溝１ｂの底部には、各長溝１ｂごとに単数又は複数個の端子挿入孔１ｃが形成され、保持体１の内部において中心のピン挿入孔１ａと連通するようにされ、各端子挿入孔１ｃには受端子２の接続部２ａが挿入し得るように形成されている。
【００１１】
保持体１の両端外面の長溝１ｂを除く部分に、カバー部材５の端部を係止するための突環部１ｄが環状に形成され、更に外面の一部には長手方向に沿った突条部１ｅが設けられている。そして、突環部１ｄの内端側は壁部とされ、外端側は傾斜面とされている。なお、この突環部１ｄは円環状でなくとも、保持体１の端部の適宜の個所に形成するようにしてもよい。
【００１２】
受端子２は１枚の導電金属板を打ち抜いて形成されており、前端の接続部２ａには円筒状に絞り加工された筒状接点２ｃが設けられている。
【００１３】
ピン端子４は図２の断面図に示すように導電金属板を四角状に屈曲して複数層に形成すると十分に補強され好適に使用できる。なお、金属棒を加工して用いてもよいし、その断面形状は丸型であってもよい。
【００１４】
組立に際しては、図３に示すように保持体１の端子挿入孔１ｃに、図１の矢印で示すように電線３を接続した受端子２の接続部２ａを挿入し、長溝１ｂに沿って電線３を装着する。接続部２ａの先端縁部２ｄはピン挿入孔１ａの径とほぼ一致しているので、図４に示すように接続部２ａはピン挿入孔１ａ内において安定して装着され、筒状接点２ｃの中心はピン挿入孔１ａの中心と一致する。なお、このとき端子挿入孔１ｃに設けた図示しない係止部により、挿入した接続部２ａが脱落しないように係止される。
【００１５】
この状態において、治具を用いてピン端子４をピン挿入孔１ａに図３に示すように挿入すると、ピン端子４はそれぞれの受端子２の接続部２ａの筒状接点２ｃを貫通し、全ての受端子２がピン端子４によって短絡されるため、全ての電線３は互いに導通することになる。
【００１６】
カバー部材５は硬質合成樹脂から成る円筒体とされ、その内径は挿着すべき保持体１の外径とほぼ同等とされている。カバー部材５の長手方向に割スリット５ａが設けられ、割スリット５ａを開くことができるようになっている。また、割スリット５ａの両端には切込み５ｂが設けられている。更に、割スリット５ａの中間には保持体１の突条部１ｅに嵌合する凹形部５ｃが設けられている。
【００１７】
このカバー部材５を保持体１に装着するには、切込み５ｂを利用して割スリット５ａを開いて複数本の電線３を挿通する。その後にカバー部材５を保持体１まで移動し、図５に示すように保持体１の一方の突環部１ｄを乗り越えて、突環部１ｄ内に嵌合すると共に、凹形部５ｃを突条部１ｅに嵌合することにより、図６に示す装着完了状態となり、カバー部材５は保持体１に対して長手方向にも回転方向にも移動しなくなる。
【００１８】
なお、回転方向の規制を特に必要としなければ、保持体１の突条部１ｅ、カバー部材５の凹形部５ｃは省略することができる。
【図面の簡単な説明】
【００１９】
【図１】分解斜視図である。
【図２】ピン端子の断面図である。
【図３】組立体の斜視図である。
【図４】保持体に受端子を挿入した状態の断面図である。
【図５】カバー部材の装着過程の斜視図である。
【図６】カバー部材を装着した状態の斜視図である。
【符号の説明】
【００２０】
１  保持体
１ｄ  突環部
１ｅ  突条部
２  受端子
３  電線
４  ピン端子
５  カバー部材
５ａ  割スリット
５ｂ  切込み
５ｃ  凹形部
【図１】
2008166135.tif 000003
【図２】
2008166135.tif 000004
【図３】
2008166135.tif 000005
【図４】
2008166135.tif 000006
【図５】
2008166135.tif 000007
【図６】
2008166135.tif 000008